(57)【要約】【課題】万が一可動窓が落下した場合であっても手指を挟むことのない上げ下げ窓の指挟み防止機構を得、上げ下げ窓の安全性をより向上させる。【解決手段】縦の窓枠２７の溝３３に沿って少なくとも一つの可動窓１５を上げ下げ自在に備えた上げ下げ窓の指挟み防止機構１００であって、可動窓１５の室内側の面に吸着部材を介して着脱自在に固定されるブラケットと、上げ下げ方向に直交し且つ室内側の面に平行な方向の軸を介してブラケットに基端が回動自在に固定され下向きの回動姿勢で可動窓の下端から先端が突出して下の窓枠３７に先端が当接可能となった衝接杆と、衝接杆に突設され衝接杆が下向きの回動姿勢となったときに可動窓１５の下端面に接する凸部とを具備した。また、衝接杆を下向きの回動姿勢又は上向きの回転姿勢に保持するクリック機構を、衝接杆とブラケットとの間に亘って設けることが好ましい。【選択図】      図１
2008240283.tif 000002
【特許請求の範囲】
【請求項１】
縦の窓枠の溝に沿って少なくとも一つの可動窓を上げ下げ自在に備えた上げ下げ窓の指挟み防止機構であって、
前記可動窓の室内側の面に吸着部材を介して着脱自在に固定されるブラケットと、
上げ下げ方向に直交し且つ前記室内側の面に平行な方向の軸を介して該ブラケットに基端が回動自在に固定され下向きの回動姿勢で前記可動窓の下端から先端が突出して下の窓枠に該先端が当接可能となった衝接杆と、
該衝接杆に突設され該衝接杆が前記下向きの回動姿勢となったときに前記可動窓の下端面に接する凸部と、
を具備したことを特徴とする上げ下げ窓の指挟み防止機構。
【請求項２】
前記衝接杆を前記下向きの回動姿勢又は上向きの回転姿勢に保持するクリック機構が該衝接杆と前記ブラケットとの間に亘って設けられたことを特徴とする請求項１記載の上げ下げ窓の指挟み防止機構。
【請求項３】
前記吸着部材が、吸盤であることを特徴とする請求項１又は２記載の上げ下げ窓の指挟み防止機構。
【請求項４】
前記吸着部材が、マグネットであることを特徴とする請求項１又は２記載の上げ下げ窓の指挟み防止機構。
【発明の詳細な説明】
【技術分野】
【０００１】
本発明は、縦の窓枠の溝に沿って少なくとも一つの可動窓を上げ下げ自在に備えた上げ下げ窓の指挟み防止機構に関し、特に、可動窓の急落下における指挟みを防止する改良技術に関する。
【背景技術】
【０００２】
上下方向に開閉操作される可動窓を備えた上げ下げ窓は、窓重量と釣り合う引き上げ力を作用させて、可動窓を任意の位置に静止させたり、可動窓を小さな力で上下させたりするバランサーを備えるものがある。この種のバランサーとしては、窓枠の上部に取付けた渦巻きバネから繰り出されるワイヤで可動窓を吊持して窓重量と釣り合う平衡力を作用させるようにしたものや、室内側窓と室外側窓とを上部に配設した滑車を介してワイヤで吊持し窓重量をバランスさせたものなどが知られている。
【０００３】
ところが、ワイヤにて可動窓を吊持するバランサーでは、何らかの原因でワイヤが切断した場合には可動窓が落下してしまう問題があった。このような不具合を解消したものに、例えば特許文献１に開示される上げ下げ窓がある。この上げ下げ窓は、バランサーを一つの可動窓につき左右二つ設け、左右のバランサーから垂下された一対のワイヤを可動窓に移動可能に設けた連結部材の左右に接続する。通常時は左右のワイヤの張力が平衡状態を保っており、この平衡状態が崩れた時に連結部材が張力の大きいワイヤ側に引っ張られ、縦の窓枠に圧接するように構成し、バランサーの平衡状態が崩れた時に可動窓の急激な落下を防止し、安全性の向上が図られるようになされていた。
【特許文献１】特開２００１−２０７７２２公報
【特許文献２】特開２００２−２４２５２７公報
【発明の開示】
【発明が解決しようとする課題】
【０００４】
しかしながら、上記した上げ下げ窓は、平衡状態が崩れた時に張力の大きいワイヤ側に連結部材を引っ張り、縦の窓枠に圧接するように構成するため、例えば、経年劣化したワイヤでは一方のワイヤ切断による衝撃で他方のワイヤも切断し、左右のワイヤの張力が同時に消失し、可動窓が急激に落下する虞があった。また、バランサー内の渦巻きバネが破損したり、平衡力を出力する軸部が脱落、或いは折れた場合にも、同様の事態が想定された。さらに、特許文献２に開示される上げ下げ窓の窓吊り係止具においても、ワイヤが可動窓を吊持している状態では、揺動ブレーキ片を付勢手段に抗しながら縦の窓枠から離間する位置に保持し、ワイヤが切断したときには、ワイヤの張力消失で揺動ブレーキ片を付勢手段により突出し、縦の窓枠に接触させることにより可動窓の落下を防止するようにされるが、バランサー内の渦巻きバネ等が破損したときにはワイヤに或る程度の張力が作用するため、揺動ブレーキ片が突出せずに、可動窓が急激に落下する虞があった。このような事情から、上げ下げ窓には可動窓の急落下に伴う指挟みが生じないようにするため、さらなる安全対策の採られることが望ましい。
【０００５】
本発明は上記状況に鑑みてなされたもので、万が一可動窓が落下した場合であっても手指を挟むことのない上げ下げ窓の指挟み防止機構を提供し、もって、上げ下げ窓の安全性向上を図ることを目的とする。
【課題を解決するための手段】
【０００６】
次に、上記の課題を解決するための手段を、実施の形態に対応する図面を参照して説明する。
本発明の請求項１記載の上げ下げ窓の指挟み防止機構は、縦の窓枠２７の溝３３に沿って少なくとも一つの可動窓１５を上げ下げ自在に備えた上げ下げ窓の指挟み防止機構１００であって、
前記可動窓１５の室内側の面に吸着部材４１を介して着脱自在に固定されるブラケット３５と、
上げ下げ方向に直交し且つ前記室内側の面に平行な方向の軸４３を介して該ブラケット３５に基端が回動自在に固定され下向きの回動姿勢で前記可動窓１５の下端から先端が突出して下の窓枠３７に該先端が当接可能となった衝接杆４５と、
該衝接杆４５に突設され該衝接杆４５が前記下向きの回動姿勢となったときに前記可動窓１５の下端面に接する凸部４７と、
を具備したことを特徴とする。
【０００７】
この上げ下げ窓の指挟み防止機構では、可動窓１５の開放状態において、衝接杆４５が下向きに回動されていると、万が一バランサー１９のワイヤ２３が切れる等、可動窓１５が落下した場合であっても、衝接杆４５の先端が下の窓枠３７に当接し、可動窓１５の下框３１と下の窓枠３７との間に間隙Ｄが形成される。これに加え、衝接杆４５の先端が当接した際、凸部４７が可動窓１５の下端面に接していることで、下の窓枠３７から受ける反力が可動窓１５の下端面で受けられ、吸着部材４１に作用することがない。
【０００８】
請求項２記載の上げ下げ窓の指挟み防止機構は、前記衝接杆４５を前記下向きの回動姿勢又は上向きの回転姿勢に保持するクリック機構５１が該衝接杆４５と前記ブラケット３５との間に亘って設けられたことを特徴とする。
【０００９】
この上げ下げ窓の指挟み防止機構では、衝接杆４５がクリック機構５１によって下向きの回動姿勢に保持されることで、可動窓１５の落下時、衝接杆４５が下の窓枠３７に対して垂直な方向で当たり、斜め方向での衝突により衝接杆４５が回動しない。また、衝接杆４５がクリック機構５１によって上向きの回動姿勢に保持されることで、可動窓１５の通常の閉鎖時において、衝接杆４５の先端が下の窓枠３７に干渉しない。
【００１０】
請求項３記載の上げ下げ窓の指挟み防止機構は、前記吸着部材４１が、吸盤であることを特徴とする。
【００１１】
この上げ下げ窓の指挟み防止機構では、吸着部材４１が吸盤であることにより、可動窓１５の平坦な室内側の面、例えば下框３１、縦框２５、或いは窓ガラス３９等の表面に、材質を問わず真空吸着固定可能となる。
【００１２】
請求項４記載の上げ下げ窓の指挟み防止機構は、前記吸着部材４１が、マグネットであることを特徴とする。
【００１３】
この上げ下げ窓の指挟み防止機構では、吸着部材４１がマグネットであることにより、可動窓１５の磁性体材料、例えば鉄製の下框３１、縦框２５、或いはサッシュ内部部品等に、表面平坦度を問わず磁気吸着固定可能となる。
【発明の効果】
【００１４】
本発明に係る請求項１記載の上げ下げ窓の指挟み防止機構によれば、可動窓の室内側の面に吸着部材を介してブラケットを着脱自在に固定し、下向きの回動姿勢で可動窓の下端から突出した先端が下の窓枠に当接する衝接杆をブラケットに回動自在に固定し、衝接杆が下向きの回動姿勢となったときに可動窓の下端面に接する凸部を衝接杆に突設したので、可動窓の開放状態において、衝接杆を下向きの回動姿勢としておくことで、万が一バランサーのワイヤが切れる等、可動窓が落下した場合であっても、衝接杆の先端が下の窓枠に当接し、可動窓の下框と下の窓枠との間に間隙を形成することができる。この結果、手指を挟む危険性を無くして、上げ下げ窓の安全性を一層向上させることができる。これに加え、衝接杆の先端が当接した際、凸部が可動窓の下端面に接しているので、下の窓枠から受ける反力が可動窓の下端面で受けられ、吸着部材に作用することがない。これにより、衝接杆の先端が受ける衝撃によって、吸着部材が外れることがない。
【００１５】
請求項２記載の上げ下げ窓の指挟み防止機構によれば、衝接杆を下向きの回動姿勢又は上向きの回転姿勢に保持するクリック機構を、衝接杆とブラケットとの間に亘って設けたので、衝接杆を下向きの回動姿勢に保持することで、可動窓の落下時、衝接杆を下の窓枠に対して垂直な方向で当てることができ、斜め方向での衝突により衝接杆が回動することを防止して、衝接杆による間隙形成作用を確実にできる。また、衝接杆を上向きの回動姿勢に保持することで、可動窓の通常の閉鎖時において、衝接杆の先端が下の窓枠に干渉することを防止できる。
【００１６】
請求項３記載の上げ下げ窓の指挟み防止機構によれば、吸着部材が、吸盤であるので、可動窓の平坦な室内側の面、例えば下框、縦框、或いは窓ガラス等の表面に、接着剤やネジ等の固定手段を用いることなく簡単に取り付けられ、且つ材質を問わず真空吸着固定することができる。
【００１７】
請求項４記載の上げ下げ窓の指挟み防止機構によれば、吸着部材が、マグネットであるので、可動窓の磁性体材料、例えば鉄製の下框、縦框、或いはサッシュ内部部品等に、接着剤やネジ等の固定手段を用いることなく簡単に取り付けられ、且つ表面平坦度を問わず磁気吸着固定することができる。
【発明を実施するための最良の形態】
【００１８】
以下、本発明に係る上げ下げ窓の指挟み防止機構の好適な実施の形態を図面を参照して詳細に説明する。
図１は本発明に係る指挟み防止機構を備えた上げ下げ窓の室内側から見た正面図である。
上げ下げ窓１０は、四角枠状に構成された窓枠１１の内部に、外窓１３と、内窓１５とを設け、少なくとも一方の内窓１５が可動窓となって縦の窓枠２７，２７の溝３３に沿って昇降自在とされる。内窓１５は室内側下方に、外窓１３は室外側上方にそれぞれ配置されて閉鎖状態となる。
【００１９】
上部横の窓枠１７の左右両端には荷重平衡手段である渦巻きバネ式等のバランサー装置１９，１９が配設され、バランサー装置１９，１９は繰り出された吊りワイヤ２３，２３が内窓１５の縦框２５，２５の下部に設けられたプーリー２１，２１に張架された後、内窓１５に固定されている。
【００２０】
図示は省略するが、渦巻きバネ式バランサー装置１９は、内設された渦巻きバネにより内窓１５の重量と平衡を保ち、内窓１５を小さな力で開閉できるようにするとともに、任意の高さ位置で停止可能として、開放位置で保持できる。すなわち、内窓１５の閉鎖時には下降方向への閉鎖操作力が必要となる。なお、図中、３１は内窓１５の下框、３７は下の窓枠、３９は内窓１５に嵌められたガラスを表す。
【００２１】
図２は図１に示した指挟み防止機構の要部拡大正面図、図３は図２の側面図、図４は衝接杆が上向き回動姿勢となった可動窓開放状態の側面図、図５は衝接杆が下向き回動姿勢となった可動窓開放状態の側面図である。
内窓１５の下框３１には指挟み防止機構１００が設けられ、指挟み防止機構１００は本実施の形態では下框３１の室内面に左右一対のものが配設される。図２に示すように、指挟み防止機構１００は、吸着部材４１と、ブラケット３５と、衝接杆４５とを有する。本実施の形態において、吸着部材４１は、吸盤からなる。すなわち、吸着部材４１は、弾性材料からなる円形状本体の吸着面がすり鉢状の凹曲面に形成され、被吸着面に押し付けられることで、凹部内空間の空気が周縁より排出され、被吸着面に真空吸着する。本実施の形態では、吸着部材４１が、吸盤であるので、内窓１５の平坦な室内側の面、例えば下框３１、縦框２５、或いは窓ガラス３９等の表面に、接着剤やネジ等の固定手段を用いず、且つ材質を問わず真空吸着固定することができる。
【００２２】
なお、吸着部材４１は、この他、マグネットであっても良い。吸着部材を、マグネットとすることにより、内窓１５の磁性体材料、例えば鉄製の下框、縦框、或いはサッシュ内部部品等に、接着剤やネジ等の固定手段を用いず、且つ表面平坦度を問わず磁気吸着固定することができる。さらに、吸着部材４１は、上記した吸盤とマグネットとの双方を備えるものであってもよい。
【００２３】
吸着部材４１にはブラケット３５が固定され、ブラケット３５は平行な一対の側板３５ａ，３５ｂを有するコ字形状に形成される。本実施の形態において、それぞれの側板３５ａ，３５ｂは、図３に示すように、側面視で上下部が突出し且つ中央部が凹んだ略凹形状に形成されている。この上部には後述のクリック機構５１が配設され、下部には軸４３が配設される。ブラケット３５は、吸着部材４１を介して内窓１５の室内側の面である下框３１に吸着固定される。
【００２４】
側板３５ａ，３５ｂの間には衝接杆４５が挟入され、衝接杆４５は基端が軸４３によって回動自在にブラケット３５に固定される。軸４３は、上げ下げ方向に直交し且つ室内側の面に平行な方向に軸芯が一致する。図４に示すように、衝接杆４５は、上向きの回動姿勢で、上端が上方に位置して側板３５ａ，３５ｂの間に収容される。一方、図５に示すように、衝接杆４５は、軸４３を中心に図５の矢印ａ方向に回転し、下向きの回動姿勢とすることで、内窓１５の下端から先端が突出して下の窓枠３７に先端が当接可能となる。なお、図中、４９は内窓１５の下端面に設けられたパッキンを表す。
【００２５】
衝接杆４５とブラケット３５との間にはクリック機構５１が設けられ、本実施の形態において、クリック機構５１は側板３５ａ，３５ｂの上部に設けられた突起５１ａ，５１ａと、衝接杆４５の両側面に設けられてこの突起５１ａ，５１ａが嵌入する凹部５１ｂ，５１ｂとからなる。つまり、クリック機構５１は、衝接杆４５を図４に示す上向きの回転姿勢に保持可能としている。なお、クリック機構５１は、側板３５ａ，３５ｂの下部にも増設することで、下向きの回転姿勢に保持可能とさせてもよい。
【００２６】
クリック機構５１は、衝接杆４５を上向きの回動姿勢に保持することで、内窓１５の通常の閉鎖時において、衝接杆４５の先端が下の窓枠３７に干渉することを防止できる。また、衝接杆４５を下向きの回動姿勢に保持することで、内窓１５の落下時、衝接杆４５を下の窓枠３７に対して垂直な方向で当てることができ、斜め方向での衝突により衝接杆４５が回動することを防止して、衝接杆４５による間隙形成作用を確実にできる。
【００２７】
下の窓枠３７は、例えばアルミ押出成形材料からなるサッシュによって構成される。下の窓枠３７は、段部となった水切部を境に室外側が低い下段面３７ｂ、室内側が高い上段面３７ａとなる。内窓１５は、閉鎖時、下端面に設けられたパッキン４９が下段面３７ｂへ水密状態で密接する。したがって、吸着部材４１は、内窓１５の閉鎖状態において、上段面３７ａと干渉しない位置で下框３１に固定される。
【００２８】
上向きの回動姿勢となった衝接杆４５の室内側の面には凸部４７が突設され、凸部４７は衝接杆４５が図５に示す下向きの回動姿勢となったときに、内窓１５の下端面に下方から接する。本実施の形態では、段部状となった凸部４７が、内窓１５の下端面の室内側角部５３に嵌るようになっている。これにより、側板３５ａ，３５ｂの下部にクリック機構５１を設けない場合であっても、凸部４７を角部５３に嵌合して、衝接杆４５を下向きの回動姿勢に保持することが可能となる。
【００２９】
次に、上記した指挟み防止機構１００の取付手順を説明する。
図６は指挟み防止機構の取り付け方法を説明する側面図である。
指挟み防止機構１００を内窓１５に固定するには、先ず、内窓１５を所定高さに開放する。所定高さとは、衝接杆４５が下向きの回転姿勢となった状態で先端が下の窓枠３７に干渉しない高さを言う。次いで、指挟み防止機構１００の衝接杆４５を下向きの回転姿勢に回転する。回転によって内窓１５と対向配置された凸部４７を、内窓１５の角部５３に突き合わせる。この突き合わせ状態を維持したまま、吸着部材４１を下框３１に吸着固定する。次いで、衝接杆４５を上向きの回動姿勢にしてクリック機構５１にて保持し、内窓１５を閉鎖する。これにより、内窓１５への指挟み防止機構１００の取り付けが完了する。
【００３０】
次に、上記した指挟み防止機構１００の作用を説明する。
図７は衝接杆が上向き回動姿勢となった可動窓通常閉動状態の要部拡大正面図、図８は衝接杆が下向き回動姿勢となった可動窓落下状態の要部拡大正面図、図９は衝接杆が当接して間隙の形成された可動窓の要部拡大正面図、図１０は図９の側面図、図１１は衝接杆が当接して間隙の形成された可動窓の下部正面図である。
指挟み防止機構１００を使用しない通常の内窓１５の閉動時、指挟み防止機構１００は、図７に示すように、衝接杆４５がクリック機構５１によって上向きの回動姿勢に保持される。これにより、内窓１５が下降しても、衝接杆４５が下の窓枠３７に干渉することがない。
【００３１】
一方、指挟み防止機構１００を使用時、図８に示すように、衝接杆４５が下向きの回転姿勢に配置される。この際、凸部４７が下框３１の角部５３に嵌合して、衝接杆４５は下向きの回転姿勢に保持される。つまり、ぶらつかないようになっている。この状態で、ワイヤ２３が切断する等の原因で内窓１５が落下すると、衝接杆４５の先端が下の窓枠３７の上段面３７ａに衝接し、内窓１５の落下が停止する。これにより、内窓１５の下框３１と下の窓枠３７の上段面３７ａとの間には図９，図１１に示す間隙Ｄが形成される。
【００３２】
このように、指挟み防止機構１００では、内窓１５の開放状態において、衝接杆４５が下向きに回動されていると、万が一バランサー装置１９，１９のワイヤ２３が切れる等して、内窓１５が落下した場合であっても、衝接杆４５の先端が下の窓枠３７に当接し、内窓１５の下框３１と下の窓枠３７との間に間隙Ｄが形成される。これに加え、衝接杆４５の先端が当接した際、凸部４７が内窓１５の下端面に接していることで、下の窓枠３７から受ける反力が内窓１５の下端面で受けられ、吸着部材４１に作用することがない。
【００３３】
従って、上記の指挟み防止機構１００によれば、内窓１５の室内側の面に吸着部材４１を介してブラケット３５を着脱自在に固定し、下向きの回動姿勢で内窓１５の下端から突出した先端が下の窓枠３７に当接する衝接杆４５をブラケット３５に回動自在に固定し、衝接杆４５が下向きの回動姿勢となったときに内窓１５の下端面に接する凸部４７を衝接杆４５に突設したので、内窓１５の開放状態において、衝接杆４５を下向きの回動姿勢としておくことで、万が一バランサー装置１９，１９のワイヤ２３が切れる等、内窓１５が落下した場合であっても、衝接杆４５の先端が下の窓枠３７に当接し、内窓１５の下框３１と下の窓枠３７との間に間隙Ｄを形成することができる。
【００３４】
この結果、手指を挟む危険性を無くして、上げ下げ窓１０の安全性を一層向上させることができる。これに加え、衝接杆４５の先端が当接した際、凸部４７が内窓１５の下端面に接しているので、下の窓枠３７から受ける反力が内窓１５の下端面で受けられ、吸着部材４１に作用することがない。これにより、衝接杆４５の先端が受ける衝撃によって、吸着部材４１が外れることがない。
【図面の簡単な説明】
【００３５】
【図１】本発明に係る指挟み防止機構を備えた上げ下げ窓の室内側から見た正面図である。
【図２】図１に示した指挟み防止機構の要部拡大正面図である。
【図３】図２の側面図である。
【図４】衝接杆が上向き回動姿勢となった可動窓開放状態の側面図である。
【図５】衝接杆が下向き回動姿勢となった可動窓開放状態の側面図である。
【図６】指挟み防止機構の取り付け方法を説明する側面図である。
【図７】衝接杆が上向き回動姿勢となった可動窓通常閉動状態の要部拡大正面図である。
【図８】衝接杆が下向き回動姿勢となった可動窓落下状態の要部拡大正面図である。
【図９】衝接杆が当接して間隙の形成された可動窓の要部拡大正面図である。
【図１０】図９の側面図である。
【図１１】衝接杆が当接して間隙の形成された可動窓の下部正面図である。
【符号の説明】
【００３６】
１５…可動窓（内窓）
２７…縦の窓枠
３３…溝
３５…ブラケット
３７…下の窓枠
４１…吸着部材
４３…軸
４５…衝接杆
４７…凸部
５１…クリック機構
１００…上げ下げ窓の指挟み防止機構
【図１】
2008240283.tif 000003
【図２】
2008240283.tif 000004
【図３】
2008240283.tif 000005
【図４】
2008240283.tif 000006
【図５】
2008240283.tif 000007
【図６】
2008240283.tif 000008
【図７】
2008240283.tif 000009
【図８】
2008240283.tif 000010
【図９】
2008240283.tif 000011
【図１０】
2008240283.tif 000012
【図１１】
2008240283.tif 000013